(57)【特許請求の範囲】
【請求項１】
先端を尖らすことができるように形成されている単純なペンである、接触感応式の容量方式のディスプレイ用の入力機器であって、
前記入力機器は、芯であるか、
又は前記入力機器は、コーティングを備えた芯であるか、
又は前記入力機器は、外装を備えた芯であるか、
又は前記入力機器は、外装及びコーティングを備えた芯であり、
前記芯及び前記外装は、導電性に形成されている
ことを特徴とする、接触感応式の容量方式のディスプレイ用の入力機器。
【請求項２】
前記外装は、プラスチック及び／又は木材代用品（ＷＰＣ）から形成されている、請求項１記載の入力機器。
【請求項３】
前記芯は、鉛芯、カラー芯、化粧芯又はイレーザ芯として形成されている、請求項１の入力機器。
【請求項４】
前記芯、前記外装及び／又は前記コーティングは、導電性の成分又は添加剤を有しており、
かつ該添加剤は、グラファイト、炭素繊維、導電煤、金属繊維、「カーボンナノチューブ」、銅顔料、銀めっきされた銅顔料及び／又は銀粉である、請求項１から３までのいずれか１項記載の入力機器。
【請求項５】
前記芯、前記外装及び／又は前記コーティングは、添加剤として、いわゆる帯電防止剤を有している、請求項１又は４記載の入力機器。
【請求項６】
導電性の前記コーティングは、カラー層又はシート層である、請求項１又は４項記載の入力機器。
【請求項７】
いわゆるタブレットコンピュータもしくはスマートフォンの接触感応式の容量方式のディスプレイのための、請求項１記載の入力機器の使用。
【発明の詳細な説明】
【技術分野】
【０００１】
本発明は、請求項１の前段部に記載された、いわゆる接触感応式の容量方式のディスプレイ用の入力機器、並びにこの入力機器の使用に関する。
【０００２】
このようなディスプレイ用の入力機器は、原則的に公知である。
【０００３】
例えば、導電性のシャフトから成る入力ペンが公知であり、このようなペンでは一端に、ディスプレイもしくはディスプレイの表面用の、弾性に形成された導電性で軟質のコンタクトプラグが形成されている。
【０００４】
このような入力ペンには、それが純然たる入力ペンとしては価格が高すぎ、しかも筆記機能又は塗布機能を満たさないという欠点がある。
【０００５】
さらに別の入力ペンは、一端に筆記機構又は塗布具もしくはアプリケータを有していて、他方の側に、コンタクトプラグとして形成された導電性の装置を有しており、このコンタクトプラグは、容量方式のディスプレイとの接触時に入力機能を可能にするもしくは発揮する。
【０００６】
しかしながら上に述べた公知の入力ペンには、多くの欠点がある。
【０００７】
例えばこのような入力ペンは、製造コストが高い。従来技術によるほぼすべてのこのような入力ペンは、ボールペンであり、従って使用者はその選択に関して極めて制限されている。
【０００８】
ゆえに本発明の課題は、上に述べた公知の入力機器における欠点を有しておらず、かつ極めて安価に製造することができる入力機器を提供することである。本発明のさらなる課題は、入力機器を、使用者が引き続き慣れた形式で、完璧な筆記用具、製図用具、絵描き用具又は化粧用具として使用することができるようにすることである。
【０００９】
この課題は、請求項１及び請求項７に記載の特徴によって解決される。
【００１０】
本発明に係る入力機器は、先端を尖らせることができる単純な筆記用具、製図用具、絵描き用具、化粧用具又はイレーザであり、先端を尖らせることができるように形成された機器は少なくとも、マーキングを書くための芯又はマーキングを消すための芯から成っている。
【００１１】
これによって包含される入力機器は、例えば、全体が芯として機能するソリッドコアペンであっても、又は木材、プラスチック及び／又は木材代用品（ＷＰＣ）製の外装によって取り囲まれた芯であってもよい。このとき芯は、鉛芯、カラー芯、化粧芯又はイレーザ芯であってよい。
【００１２】
さらにソリッドコアペン又は取り囲まれた芯が追加的に、例えばシートの形態のコーティング又は択一的な装飾表面層を有しているか否かは、些細なことである。
【００１３】
驚いたことに、芯、芯外装及び／又はコーティングに導電性の成分又は添加剤を加えることによって、先端を尖らすことができる入力機器の芯材料及び／又は芯外装及び／又はコーティングが導電性に形成されていると、本発明のように単純な構造を有する安価な機器を、入力機器として利用できるということが判明している。
【００１４】
上に述べたように、先端を尖らすことができる入力機器というのは、使用者が市販の鉛筆削り、手持ち式鉛筆削り又はその他の先端を尖らせる装置を用いて、使用可能な状態を得るために始めにもしくは後で尖らすことができる機器を包含する。
【００１５】
芯が木材代用品によって取り囲まれている入力機器では、木材代用品は、プラスチック又はいわゆるＷＰＣ（木材プラスチック複合材）であってよい。このような入力機器もしくは外装又は外装用の部分は、押出し成形法もしくは同時押出し成形法又は射出成型法によって製造される。
【００１６】
また入力機器は、色を出さない芯を有することもできる。このような芯は例えば、イレーザ芯であってよく、このイレーザ芯は同様に、いわゆるイレーザペンとしてソリッドイレーザペンであっても、又は外装を備えた芯／ストランドであってもよい。この場合においてもイレーザ材料及び／又は外装には、既に述べたように、物質／添加剤が混合されていて、これによってイレーザ材料は導電特性を有している。イレーザ芯の使用にはさらに、イレーザ芯がディスプレイとの接触時にディスプレイ上にマーキングを残さないという利点がある。イレーザ材料は軟質にかつ密着するように形成されているので、ディスプレイとの快適かつソフトな接触が可能である。
【００１７】
既に述べたように、芯及び／又は芯外装及び／又はコーティングは、導電性に構成されていなくてはならず、これについては以下に例を挙げて詳しく述べる。
【００１８】
ここで述べておくと、本発明によるペンを用いて、先端によっても先端とは反対側に位置する端部によっても、入力機能を発揮することができる。先端によって入力機能を発揮したい場合には、芯だけがディスプレイと接触するので、芯が導電性に形成されていなくてはならない。このように構成されていると、極めて正確な入力機能が可能である。
【００１９】
入力機器の、先端とは反対に位置する側には、滑りラッカ（Gleitlack）が設けられていてよく、このようになっていると、入力機器はディスプレイ上をソフトに滑ることができる。滑りラッカは導電性に形成されていてもよいが、必ずしもそうである必要はない。
【００２０】
導電性の場合、導電性でない領域はブリッジングされ、これによって機能は、ディスプレイに対する入力機器の当て付け角度とは無関係になる。
【００２１】
滑りラッカは、先端を尖らすことができる筆記用具においていわゆる保護キャップ（Tauchkappe）として公知であるコーティングと見なすことができる。
【００２２】
芯、外装及び／又はコーティングは、特定の添加剤の混合によって導電性になる。この添加剤はそれ自体が導電性を有している。
【００２３】
このような添加剤としては、例えばグラファイト、炭素繊維、導電煤、金属繊維、「カーボンナノチューブ」、銅顔料、銀めっきされた銅顔料及び／又は銀粉が挙げられる。
【００２４】
芯、外装、コーティング及び／又は接触エレメントを導電性にするために、これらの材料にもいわゆる帯電防止剤が添加されていてよい。帯電防止剤によって、対象物における静電気の帯電が阻止もしくは抑制される。このとき、内部の帯電防止剤と外部の帯電防止剤とを区別することが肝要である。このような帯電防止剤は、例えば金属ワイヤとして内部に加工することも、又は金属粉として外部に蒸着することもできる。
【００２５】
導電性の外装のための例としては、導電性の木材代用品があり、この木材代用品は、従来技術である独国特許出願公開第１０２００８０３４０１３号に基づいて公知のＷＰＣであり、この木材代用品もしくはＷＰＣは、５〜５０質量％、好ましくは少なくとも１０〜４０質量％のグラファイトパウダの添加によって導電性にすることができる。
【００２６】
従来技術による木材代用品材料は、下記の成分から成っている：
１５〜３０質量％  少なくとも一種のポリマ結合剤
５０〜８０質量％  少なくとも一種の有機充填剤
０〜２０質量％    少なくとも一種の無機充填剤
０.５〜５質量％   少なくとも一種の接着促進剤
１〜３０質量％    少なくとも一種のワックス
０〜１０質量％    少なくとも一種のカラー顔料
０〜１０質量％    少なくとも一種の無機添加剤。
【００２７】
ポリオレフィンをベースとする木材代用品のための具体的な実施例は、下記のように構成されている：
６０質量％  木粉
１２質量％  グラファイト
４質量％  ワックス（アミドワックス）
２質量％  無機添加剤（ステアリン酸）
２１質量％  ポリオレフィン
１質量％  接着促進剤（無水マイレン酸グラフトポリプロピレン）。
【００２８】
このとき驚くほど好適なこととして判明したことであるが、導電性添加剤の混合によって、市販の削り装置を用いた削り性が制限されることない。１０Ｎｃｍ未満のいわゆる削りモーメント（Spitzmoment）が、維持されている。
【００２９】
木材によって取り囲まれた公知のペンにおけるすべての通常特性は、制限されることなく維持されている。
【００３０】
外装材料としてＷＰＣではなく、純粋なプラスチックが使用される場合には、プラスチックに導電性添加剤を混合する必要がある。
【００３１】
スタンダードプラスチックは、約１０14オームの電気的な体積抵抗を有している。導電性を得るための添加剤の混合によって、この値は１０2オームにまで低下させることができる。
【００３２】
導電性プラスチックのための例としては、POLYONE社の製品「Gravi Tech GRV PP-030-IO Black FD」が挙げられる。
【００３３】
芯は、鉛芯、カラー芯、イレーザ芯及び化粧芯又はチョークとして形成されていてよい。
【００３４】
導電性の鉛芯は、従来技術に基づいて当業者にとって周知のように、下記のように形成されていてよい：
グラファイト    ５０質量％
クレー          ４０質量％
添加剤            １質量％
含浸剤            ９質量％。
【００３５】
例えばさらに、例えば市販のソリッドコアペンにおいて使用されるポリマ結合されたグラファイト芯を挙げることができる：
グラファイト    ７０質量％
ポリマ（ＰＳ）  ２０質量％
添加剤            １質量％
ワックス          ９質量％。
【００３６】
導電性のブルーのカラー芯のための例としては、下記の組成が挙げられる。銀めっきされた銅顔料はここでは導電性添加剤である：
１.５質量％     顔料、ブルー
３９質量％      窒化ホウ素
１６質量％      銀めっきされた銅顔料
５質量％        ステアリン酸カルシウム
７質量％        ステアリン酸
５質量％        カルボキシメチルセルロース
８質量％        雲母
１６.５質量％   凍石。
【００３７】
汎用のイレーザ芯又はイレーザチップを導電性に構成するために、これらのイレーザにグラファイトを添加することができる。
【００３８】
導電性のイレーザ物質のための基本処方は、例えば下記の通りである：
ポリマ                      １５〜９０質量％
無機充填剤                  ０〜８０質量％
オイル（例えばホワイト油）  ０〜１０質量％
グラファイト                １０〜５０質量％。
【００３９】
ポリマはこのときＳＥＢＳ、ＳＢＳ、ＥＰＤＭ／ＰＰ又はこれらの混合物から及び／又はポリオレフィン、アクリラート又はＰＵＲを備えたものから成っていてよい。古典的な充填物質としては、チョーク、滑石及び／又はカオリンがある。
【００４０】
導電性の化粧芯のための例としては、アイラインの芯が挙げられ、このアイラインの芯は、下記の組成を有している：
８質量％        ステアリン酸リチウム
２０質量％      ミリスチン酸イソプロピル
１１質量％      水酸化パーム核グリセリダーゼ
４５質量％      顔料  ブルー
０.５質量％     パンテノール
０.５質量％     プロピルパラペン
１５質量％      銀粉。
【００４１】
この処方は、独国実用新案第２０２００５０２１２５１号明細書に記載された変化態様としての処方であって、銀粉の添加／追加によって導電性にされた処方である。
【００４２】
コーティングというのは、以下においてカラー層／ラッカ層又は薄いシートコーティングを意味し、これらは主として装飾目的もしくは表面シールのために役立つ。
【００４３】
導電性のラッカコーティングのための１例は、下記の成分を有している：
ニトロセルロース  １８質量％
可塑剤            ６質量％
樹脂              ６質量％
アクリラート      ６質量％
グラファイト      １２質量％
無機充填剤        ２０質量％
有機添加剤        ０.５質量％
溶剤（ＶＯＣ）    １００質量％に対する残り。
【００４４】
シートコーティングもまた導電性を有することができる。この場合の例としては、Ｋｕｒｚ社の製品「Ａｌｕｆｉｎ」を挙げることができ、これはアルミニウム-金属被覆されたスタンピングホイルである。
【００４５】
さらに驚くべきことであるが、導電性に構成された芯、外装及び／又はコーティング及び使用者の手との間に、直接的な接触部、もしくは直接的な導電性の移行部もしくは接点が存在している必要はない。さらに誘電体としての導電中断部が形成されていてよく、これにより、一種のコンデンサ素子が形成され、このコンデンサ素子によって、使用者のディスプレイと入力機器との接触時に十分に大きな電荷移動が生ぜしめられ、これによってタブレットにおいて入力機能を発揮することができる。
【００４６】
そのために例として挙げられる入力機器では、芯及び外装が導電性であるが、薄いラッカ層は導電性ではない。入力機能は制限されずに与えられている。
【００４７】
次に図１〜図３に示した実施形態を参照しながら本発明を詳説する。
【図面の簡単な説明】
【００４８】
【図１】芯外装及びコーティングを備えた芯から成る入力機器を示す断面図である。
【図２】芯と芯外装とから成る入力機器を示す断面図である。
【図３】芯から成る入力機器を示す断面図である。
【００４９】
図１には、芯外装１１３及びコーティング１１８を備えた芯１１２を有する入力機器１が示されている。図示の実施形態では、外装１１３及び芯１１２は導電性に形成されている。薄いコーティング１１８は、導電性に形成されていてよいが、導電性に形成する必要はない。コーティング１１８が導電性に形成されていない場合、図示されていない使用時に、使用者の手と入力機器１との間には、コンデンサ／誘電体が形成されている。薄いコーティング１１８では容量が極めて大きいので、タブレットの接触時における電荷の移動（Ladungsverschiebung）は、入力機能を得るもしくは発揮するのに十分である。
【００５０】
本実施形態では、芯１１２、ひいては先端１１７も導電性に形成されているので、タブレットにおいて入力機能は、先端１１７によっても、先端１１７とは反対側に位置する端部によっても行うことができる。
【００５１】
図２には、外装１１３を備えた芯１１２を有する入力機器１の択一的な態様が示されかつ記載されている。
【００５２】
図３には、ソリッドコアペン（Vollminenstift）１１として形成された入力機器１が示されている。芯１１２は、本実施形態ではペン１１の全横断面にわたって延在している。
【００５３】
図示されていない使用時には、使用者は入力機器をタブレットの表面と接触させ、これによりタブレットと使用者の手との間における導電接続を生ぜしめる。この接触によって電荷の移動が発生し、これによってタブレットもしくはタブレットＰＣにおける入力機能が発揮される。
【００５４】
先端１１７とは反対側に位置している端部には、滑りラッカ層１１９が設けられており、この滑りラッカ層１１９は、本実施の形態では非導電性に形成されている。
【００５５】
この入力機器は、いわゆるタブレットコンピュータもしくはスマートフォンの接触感応式の容量方式のディスプレイのために又はディスプレイにおいて使用される。入力機器１は、先端を尖らすことができるように形成された単純なペン１１である。入力機器１は、芯であるか、又は入力機器１は、コーティングを備えた芯であるか、又は入力機器１は、外装を備えた芯であるか、又は入力機器１は、芯、外装及びコーティングを有している。芯、外装及び／又はコーティングは、導電性に形成されている。
【００５６】
芯、外装及び／又はコーティングは、導電性の成分又は添加剤を有しており、このとき添加剤は、グラファイト、炭素繊維、導電煤、金属繊維、「カーボンナノチューブ」、銅顔料、銀めっきされた銅顔料及び／又は銀粉である。
【符号の説明】
【００５７】
１  入力機器
１１  単純なペン
１１２  芯
１１３  外装
１１７  先端
１１８  コーティング
１１９  滑りラッカ
【図１】
0005996102.tif 000002
【図２】
0005996102.tif 000003
【図３】
0005996102.tif 000004